(57)【特許請求の範囲】
【請求項１】
背面側底面に吸込グリルとエアーフィルタとを具えた吸込口を有し、正面に風向板を具えた斜め下向きの吹出口を有する本体内部を前後に区画し、前方の区画に熱交換器を配置し、後方の区画に送風口を前記熱交換器に向けた送風機を配置すると共にその後方に電装品箱を設け、本体の背面側を壁面に近接させ、上面を天井に取付け、リモートコントローラの操作により運転するようにしてなる天吊型空気調和機において、前記電装品箱が設けられている本体背面側の底面にリモートコントローラの信号を受光する受光部を正面に向かって斜め下向きに収容する収容部を設けてなることを特徴とする天吊型空気調和機。
【請求項２】
前記収容部を前記電装品箱の底部に一体に設け、本体の背面側の底面に突出させてなる請求項１記載の天吊型空気調和機。
【請求項３】
前記収容部の前面に運転表示部を設けてなる請求項１記載の天吊型空気調和機。
【請求項４】
前記収容部を前記本体の背面側の底面中央に設けてなる請求項１記載の天吊型空気調和機。
【請求項５】
前記収容部を前記本体の背面側の底面左右間に設けてなる請求項１記載の天吊型空気調和機。
【請求項６】
前記収容部を別途形成し、前記本体の背面側の底面中央または電装品箱の底面に取付けるようにしてなる請求項１記載の天吊型空気調和機。
【発明の詳細な説明】
【０００１】
【発明の属する技術分野】
本発明は天吊型空気調和機に関わり、詳しくは、同機を遠隔操作するリモートコントローラ（以下、リモコンという）の信号（リモコン信号）の受信性能を向上させるための構造に関する。
【０００２】
【従来の技術】
天吊型空気調和機は例えば図５および図６に示すような構造になっている。図５は天井への取付状態を、図６は内部構成を示したものである。本体２１はその背面側の底面に吸込グリル２２とエアーフィルタ２３とを具えた吸込口２４を有し、正面に複数の縦風向板２５と横風向板２６とを具えた斜め下向きの吹出口２７を有し、本体２１内部は前後に区画され、前方の区画には熱交換器２８とドレンパン２９が配置され、後方の区画には送風口を熱交換器２８に向けた送風機３０が配置され、その後方に電装品箱３１を設けた構成になっており、図１に示すように本体２１の背面側を壁面３２に近接させ、上面を天井３３に吊り下げるなどして取付け、旧式のものでは壁面等に固定したワイヤードリモコンの操作により運転を行うようになっていたが、近年はワイヤレスリモコンを用いるようになり、これに対応した天吊型空気調和機においては、リモコン信号の受光部を図５に示すように本体２１前方のＡ部またはＢ部に設けている。
【０００３】
【発明が解決しようとする課題】
ところで、受光部の受光範囲は図７に示すように左右６０°までで、かつ周辺に行くほど（受光角度が大きくなるにつれ）受光性能が低下するため実用的な受光範囲は左右４５°までとなる。したがって、受光部が図５に示すような本体２１正面側のＡ部またはＢ部にある場合は受光範囲がそれぞれ図８に示すような状態となり、Ａ部では受光部が下向きになっているため遠方上部からのリモコン信号やリモコン３４を壁面３２に取付けたままで操作したときのリモコン信号には弱く、また、Ｂ部では受光部がＡ部にある場合よりも前向きになっているため遠方上部からのリモコン信号には強いが、その反面、天井３３の蛍光灯３７のノイズに影響され易く、また、本体２１の背面側下部は受光範囲外となるためリモコン３４を壁面３２に取付けたまま操作すると受光できないという問題がある。また、受光部が図示のＡ部またはＢ部にあれば電装品箱３１との距離が長いため配線用のハーネスも長くなりコスト高になるとともに組立の作業性も悪く、その上、長いハーネスはノイズを拾い易いという問題がある。したがって、本発明においては、これらの問題点を解消するとともにリモコン信号の受光性を高めた天吊型空気調和機を提供することを目的としている。
【０００４】
【課題を解決するための手段】
本発明は上記の課題を解決するためになされたもので、背面側底面に吸込グリルとエアーフィルタとを具えた吸込口を有し、正面に風向板を具えた斜め下向きの吹出口を有する本体内部を前後に区画し、前方の区画に熱交換器を配置し、後方の区画に送風口を前記熱交換器に向けた送風機を配置すると共にその後方に電装品箱を設け、本体の背面側を壁面に近接させ、上面を天井に取付け、リモコンの操作により運転するようにしてなる天吊型空気調和機において、
前記電装品箱が設けられている本体背面側の底面にリモコン信号を受光する受光部を正面に向かって斜め下向きに収容する収容部を設けることにした。
【０００５】
また、もう一つの方法として、前記収容部を前記電装品箱の底部に一体に設け、本体の背面側の底面に突出させることにした。
また、前記収容部の前面に運転表示部を設けることにした。
また、前記収容部を前記本体の背面側の底面中央に設けることにした。
また、前記収容部を前記本体の背面側の底面左右間に設けることにした。
【０００６】
【発明の実施の形態】
本発明においては、電装品箱が設けられている本体背面側の底面または電装品箱の底部にリモコン信号の受光部を正面に向かって斜め下向きに収容する収容部を設けた構成としているのでリモコン信号の受光範囲が本体背面下部の壁面から受光部前方の水平方向までとなり、本体背面下部の壁面に取付けられたリモコンの信号も受光することができる。また、前記収容部の前面に運転表示部を設けた構成であるため運転状況の確認がし易く、また、受光部と電装品箱が近接した状態または一体であるためハーネスをより短くすることができる。
【０００７】
【実施例】
以下、本発明の実施例を図１〜図４に基づいて説明する。図１は天吊型空気調和機の外観を、図２は同機の内部構成を示したものである。
天吊型空気調和機の本体１はその背面側底面に吸込グリル２とエアーフィルタ３とを具えた吸込口４を有し、正面に複数の縦風向板５と横風向板６とを具えた斜め下向きの吹出口７を有し、本体１内部は前後に区画され、前方の区画には熱交換器８とドレンパン９が配置され、後方の区画には送風口を熱交換器８に向けた送風機１０が配置され、その後方に電装品箱１１を設けた構成になっており、本体１の背面側を壁面１２に近接させ、上面を天井１３に吊り下げるなどして取付け、壁面１２に着脱自在に設けたリモコン１４の操作で運転するようになっている。
【０００８】
ところで、本実施例の特徴とするところは、本体１背面側の底面にリモコン信号の受光部１５を正面に向かって斜め下向きに収容する収容部１６を設けてリモコン信号の受光性能を向上させたことである。なお、収容部１６の前面（傾斜面）は壁面１２に対して約４５°になるように内外面共に形成されており、この前面には発光素子等を用いた運転表示部（図示せず）も設けられている。収容部１６は本体１と一体でも、電装品箱１１と一体でも、また別途形成したものを本体１または電装品箱１１の下部に取付ける方法でもよく、また図３に示すように本体１の背面側の底面左右間に一体に形成してもよい。
【０００９】
何れにしても、受光部１５が上述のような収容部１６内にあって正面に向かって斜め下向きになっていれば、リモコン信号の受光範囲が図４に示すような水平方向からほぼ垂直方向までの角度となるため例えばリモコン１４が壁面１２に取付けられたままで操作されても受光できることになる。また、天井１３の蛍光灯１７が発するノイズは本体１で遮られ、受光される恐れがない。また、電装品箱１１と至近距離にあるためハーネスを短くすることができる。
【００１０】
【発明の効果】
以上、説明したような天吊型空気調和機であるならば、リモコン信号に対する受光範囲が広範囲となり、直下の壁面からのリモコン信号でも受信可能となり、リモコンの操作が楽になる一方、蛍光灯のノイズには影響されず運転状態が安定すると共に、受光素子を電装品箱と至近距離に配置できるのでハーネスが短くてすみ、ノイズを拾う恐れも無く、また組立作業が簡単になる等によりコストメリットが大きい等の利点がある。
【図面の簡単な説明】
【図１】本発明の第１の実施例を示す天吊型空気調和機の外観斜視図である。
【図２】本発明の第１の実施例を示す天吊型空気調和機の内部構成図である。
【図３】本発明の第２の実施例を示す天吊型空気調和機の取付斜視図である。
【図４】本発明に係わる受光部の受光範囲の説明図である。
【図５】従来例を示す天吊型空気調和機の外観斜視図である。
【図６】従来例を示す天吊型空気調和機の内部構成図である。
【図７】本発明および従来例に係わる受光部の感度特性図である。
【図８】従来例に係わる受光部の受光範囲の説明図である。
【符号の説明】
１  本体
２  吸込グリル
３  エアフィルタ
４  吸込口
５  縦風向板
６  横風向板
７  吹出口
８  熱交換器
９  ドレンパン
１０  送風機
１１  電装品箱
１２  壁面
１３  天井
１４  リモコン
１５  受光部
１６  収容部
【図１】
0003598731.tif 000002
【図２】
0003598731.tif 000003
【図３】
0003598731.tif 000004
【図４】
0003598731.tif 000005
【図５】
0003598731.tif 000006
【図６】
0003598731.tif 000007
【図７】
0003598731.tif 000008
【図８】
0003598731.tif 000009